(57)【要約】      （修正有）【課題】イヤホンコード収納装置及び該装置を備えるコード自動収納イヤホン、無輻射コード付携帯電話及び電子ギヤを提供する。【解決手段】少なくとも、巻線盤２と、該巻線盤を駆動する駆動手段と、信号接続手段４とを備えるイヤホンコード収納装置は、変速手段を更に有し、前記駆動手段は該変速手段を介して前記巻線盤を駆動する。【選択図】図１
2010141864.tif 000002
【特許請求の範囲】
【請求項１】
巻線盤と、該巻線盤を駆動する駆動手段と、信号接続手段とを備えるイヤホンコード収納装置において、更に変速手段を備え、前記駆動手段は該変速手段を介して前記巻線盤を駆動することを特徴とするイヤホンコード収納装置。
【請求項２】
前記変速手段と巻線盤との間にクラッチが更に設けられ、該巻線はクラッチを介して該変速手段に接続することを特徴とする請求項１に記載のイヤホンコード収納装置。
【請求項３】
前記駆動手段はマイクロモータであり、前記変速手段は減速手段であることを特徴とする請求項１又は２に記載のイヤホンコード収納装置。
【請求項４】
前記駆動手段はスプリング又は発条であり、前記変速手段は増速手段であることを特徴とする請求項１又は２に記載のイヤホンコード収納装置。
【請求項５】
前記巻線盤は収容空間を有し、前記駆動手段が該収容空間内に設けられていることを特徴とする請求項１又は２に記載のイヤホンコード収納装置。
【請求項６】
前記変速手段は少なくとも２つのギヤを有し、隣接のギヤの間が互いに噛み合っていることを特徴とする請求項１又は２に記載のイヤホンコード収納装置。
【請求項７】
前記信号接続手段は回路基板と複数本の環状導電シートとからなり、スプリングフィラー及びフィラーリード線を介して外部信号に繋がることを特徴とする請求項１又は２に記載のイヤホンコード収納装置。
【請求項８】
前記信号接続手段は無線接続の信号接続手段であることを特徴とする請求項１又は２に記載のイヤホンコード収納装置。
【請求項９】
前記クラッチはダンパオイル式クラッチであることを特徴とする請求項２に記載のイヤホンコード収納装置。
【請求項１０】
前記イヤホンコード収納装置は電子機器のケース内に内蔵されていることを特徴とする請求項１又は２に記載のイヤホンコード収納装置。
【請求項１１】
該コード収納装置が使用する電源は、該コード収納装置が内蔵されるケース内の電子機器と共用する電源であることを特徴とする請求項３に記載のイヤホンコード収納装置。
【請求項１２】
該コード収納装置のイヤホンコード巻き付けスイッチはピンチロールであることを特徴とする請求項４に記載のイヤホンコード収納装置。
【請求項１３】
イヤホンと、イヤホンコードと、イヤホンコード収納装置とを備えるコード自動収納イヤホンにおいて、前記イヤホンコード収納装置は請求項１〜１２のいずれか1項に記載のイヤホンコード収納装置であることを特徴とするコード自動収納イヤホン。
【請求項１４】
前記イヤホンにおいて送話器が更に設けられており、前記イヤホンは該送話器と受話器とからなる一体のイヤホンであることを特徴とする請求項１３に記載のコード自動収納イヤホン。
【請求項１５】
前記イヤホンコードは複数本のリード線と伸張力補強用の繊維糸からなり、且つ外部には高度耐磨耗の絶縁材が塗布されていることを特徴とする請求項１３に記載のコード自動収納イヤホン。
【請求項１６】
携帯電話機本体と、イヤホンと、イヤホンコードと、イヤホンコード収納装置とを備え、そのケースにイヤホンソケットが設けられ、前記イヤホンが挿入抜き出し可能に該イヤホンソケットに設けられており、前記イヤホンコード及びイヤホンコード収納装置は携帯電話機ケースの内部に設けられ、前記イヤホンコード収納装置は少なくとも、巻線盤と、該巻線盤を駆動する駆動手段と、信号接続手段とを備え、前記イヤホンにおいて送話器が更に設けられ前記イヤホンは該送話器と受話器とからなる一体のイヤホンである無輻射コード付携帯電話機において、前記イヤホンコード収納装置は変速手段を更に備え、前記駆動手段は該変速手段を介して前記巻線盤を駆動することを特徴とする無輻射コード付携帯電話機。
【請求項１７】
前記変速手段と巻線盤との間にクラッチが更に設けられており、該巻線盤は該クラッチを介して変速手段に接続することを特徴とする請求項１６に記載の無輻射コード付携帯電話機。
【請求項１８】
前記駆動手段はマイクロモータであり、前記変速手段は減速手段であることを特徴とする請求項１６又は１７に記載の無輻射コード付携帯電話機。
【請求項１９】
前記駆動手段はスプリング又は発条であり、前記変速手段は増速手段であることを特徴とする請求項１６又は１７に記載の無輻射コード付携帯電話機。
【請求項２０】
前記巻線盤は収容空間を有し、前記駆動手段が該収容空間内に設けられていることを特徴とする請求項１６又は１７に記載の無輻射コード付携帯電話機。
【請求項２１】
前記変速手段は少なくとも２つのギヤを有し、隣接のギヤの間は互いに噛み合っていることを特徴とする請求項１６又は１７に記載の無輻射コード付携帯電話機。
【請求項２２】
前記信号接続手段は回路基板と複数本の環状導電シートとからなり、スプリングフィラー及びフィラーリード線を介して外部信号に接続することを特徴とする請求項１６又は１７に記載の無輻射コード付携帯電話機。
【請求項２３】
前記信号接続手段は無線接続の信号接続手段であることを特徴とする請求項１６又は１７に記載の無輻射コード付携帯電話機。
【請求項２４】
前記無輻射コード付携帯電話機の一側面にコード溝が設けられ、該コード溝は一端が巻線盤に接続し、他端が前記ソケットに接続され、前記イヤホンコードが前記巻線盤に巻き付けられており、且つコード溝において延びてイヤホンと接続することを特徴とする請求項１６又は１７に記載の無輻射コード付携帯電話機。
【請求項２５】
前記イヤホンコードは複数本の撓み性リード線と伸張力補強用の繊維糸とからなり、且つ外部には高度耐磨耗の絶縁材が塗布されていることを特徴とする請求項１６又は１７に記載の無輻射コード付携帯電話機。
【請求項２６】
前記クラッチはダンパーオイル式クラッチであることを特徴とする請求項１７に記載の無輻射コード付携帯電話機。
【請求項２７】
前記マイクロモータは携帯電話機本体と一の電源を共用することを特徴とする請求項１７に記載の無輻射コード付携帯電話機。
【請求項２８】
前記マイクロモータのスイッチは携帯電話の通話終了ハングアップボタンと共用することを特徴とする請求項１７に記載の無輻射コード付携帯電話機。
【請求項２９】
本体と、イヤホンと、イヤホンコードと、イヤホンコード収納装置とを備え、そのケースにイヤホンソケットが設けられ、該イヤホンソケットに前記イヤホンが挿入抜き出し可能に設けられており、前記イヤホンコード及びイヤホンコード収納装置が電子機器ケースの内部に設けられ、前記イヤホンコード収納装置が少なくとも、巻線盤と、該巻線盤を駆動する駆動手段と、信号接続手段とを備える電子機器において、前記イヤホンコード収納装置は変速手段を更に備え、前記駆動手段が該変速手段を介して前記巻線盤を駆動することを特徴とする電子機器。
【請求項３０】
前記変速手段と巻線盤との間にクラッチが更に設けられ、該巻線盤が該クラッチを介して変速手段に接続することを特徴とする請求項２９に記載の電子機器。
【請求項３１】
前記駆動手段はマイクロモータであり、前記変速手段は減速手段であることを特徴とする請求項２９又は３０に記載の電子機器。
【請求項３２】
前記駆動手段はスプリング又は発条であり、前記変速手段は増速手段であることを特徴とする請求項２９又は３０に記載の電子機器。
【請求項３３】
前記電子機器はMP４シリーズ製品であることを特徴とする請求項２９又は３０に記載の電子機器。
【請求項３４】
前記電子機器は家庭用パソコンであることを特徴とする請求項２９又は３０に記載の電子機器。
【請求項３５】
前記電子機器は携帯型ゲーム機であることを特徴とする請求項２９又は３０に記載の電子機器。
【発明の詳細な説明】
【技術分野】
【０００１】
本発明はイヤホンコード収納装置、コード自動収納イヤホン、無輻射コード付携帯電話機及び電子機器に関るものである。
【背景技術】
【０００２】
電子製品、特に携帯電話機、ノードブック、補聴機能付電子機器などの応用がますます普及し、前記端末製品において従来のイヤホンが使用中に絡んだり、結び目になったり、携帯保存不便になったりして、多数の利用者に多くの不便をもたらした結果、多くの利用者がイヤホンの使用を諦めることになった。また、電子製品を直接的に使用する場合、利用者は、電子製品（携帯電話など）からの電磁気輻射が健康及び安全への潜在的危害を回避することができないことになる。
【０００３】
例えば、携帯電話機を直接的に耳に接触させて送話器で通話する場合、携帯電話機からの電磁気輻射が生体の脳部の中枢神経に対して直接的に傷害をもたらすようになる。そのため、実験及び研究により、携帯電話機が生体の脳部から一定の距離を離れると、電磁気輻射による傷害が有効的に低減できることがわかっている。例えば、携帯電話機に内蔵する送話器の代わりに、携帯電話機のイヤホンを利用して音情報を聴き取ることによって、携帯電話機の電磁波による生体の脳部への影響を９９％低減させる。
【０００４】
中国専利200510004919.9では、「輻射防止イヤホン内蔵携帯電話機及び輻射防止イヤホン内蔵ユニット」が公布され、当該専利が開示した書類から分かるように、該携帯電話機は機体に内蔵する巻線盤によってイヤホンコードを巻き付け、このようにして、通話の必要がない場合、前記巻線盤によりイヤホンコードを携帯電話機内部に巻き付け、それにより、通話中の電磁気輻射を低減させると共に、イヤホンコードの絡み、結び目を回避して、利用者の携帯及び使用が便利になる。
【０００５】
しかし、当該専利に開示された明細書及び図面から分かるように、該発明において、イヤホンコード収納装置における駆動手段（マイクロモータ又はスプリング又は発条）は直接的に巻線盤を駆動する。よって、マイクロモータを駆動手段とする場合、マイクロモータはいずれも回転速度が高速である一方トルクが小さいため、一定のトルクでなければ回動されない巻線盤を駆動させるパワーがない。モータのトルクを大きくすると、モータの体積も対応的に大きくなり、このような装置は小柄の携帯電話機内に収納できず、例え携帯電話機の厚みを厚くすることで大容量のモータを収納することにすれば、モータの回転速度が速すぎることにより携帯電話機の部品が壊れ、利用者を傷害することまで至る。
【０００６】
なお、スプリング又は発条を駆動手段とする場合、大部分のスプリング又は発条のトルクが十分であり、大きすぎるものもあるが、コードを捲き付けるストロークが短いため、スプリング又は発条で巻線盤を駆動する場合、コードを巻き付けるストロークが短すぎるため、コードを捲き付けることがうまく行えないことがよくある。
【発明の概要】
【発明が解決しようとする課題】
【０００７】
本発明は上記課題を解決するために実施されたものであり、従来技術において駆動手段が直接的に巻線盤を駆動することによる巻線盤回転速度が速すぎる、トルクが不十分である又はストロークが短すぎるという課題を解決するように、イヤホンコード収納装置を提供することを目的とする。  
また、本発明は、前記イヤホンコード収納装置を備えるコード自動収納イヤホンを提供することを目的とする。  
更に、本発明は、前記コード自動収納イヤホンを備える無輻射コード付携帯電話機を提供することを目的とする。  
更に、本発明は、前記コード自動収納イヤホンを備える電子機器を提供することを目的とする。
【課題を解決するための手段】
【０００８】
前記課題を解決するために、少なくとも巻線盤と、該巻線盤を駆動する駆動手段と、信号接続手段とを備える本発明のイヤホンコード収納装置は、変速手段を更に備え、前記駆動手段が該変速手段を介して前記巻線盤を駆動することを特徴とする。  
また、本発明において、前記変速手段と巻線盤との間にクラッチが更に設けられ、クラッチを介して該巻線盤を該変速手段に接続させることが好ましい。
【０００９】
更に、本発明において、前記駆動手段がマイクロモータであり、前記変速手段が減速手段であることが好ましい。  
更に、本発明において、前記駆動手段がスプリング又は発条であり、前記変速手段が増速手段であることが好ましい。
【００１０】
更に、前記巻線盤は収容空間を有し、前記駆動手段が該収容空間に設けられている。
更に、本発明において、前記変速手段が少なくとも２つのギヤを有し、隣接のギヤが互いに噛み合っている。  
更に、本発明において、前記信号接続手段が回路基板と複数本の環状導電シートからなり、スプリングフィラー及びフィラーリード線を介して外部信号に接続する。  
更に、本発明において、前記信号接続手段が無線接続の信号接続手段であることが好ましい。  
更に、本発明において、前記クラッチがダンパーオイル式クラッチであることが好ましい。  
更に、本発明において、イヤホンコード収納装置が電子機器のケース内に内蔵されることが好ましい。
【００１１】
更に、本発明において、駆動手段がマイクロモータである場合、該コード収納装置が使用する電源は、該コード収納装置がケースに内蔵された電子機器と共用する電源である。
更に、本発明において、駆動手段がスプリング又は発条である場合、該コード収納装置のイヤホンコードスイッチがピンチロールである。  
更に、本発明のコード自動収納イヤホンは、イヤホンと、イヤホンコードと、前記イヤホンコード収納装置とを備える。
【００１２】
更に、本発明の無輻射コード付携帯電話機は、携帯電話機本体と、イヤホンと、イヤホンコードと、イヤホンコード収納装置とを含み、前記無輻射コード付携帯電話機のケースにはイヤホンソケットが設けられ、該イヤホンソケット中に前記イヤホンが挿入抜き出し可能に設けられており、前記イヤホンコード及びイヤホンコード収納装置が携帯電話機ケース内部に設けられ、前記イヤホンコード収納装置は少なくとも、巻線盤と、該巻線盤を駆動する駆動手段と、信号接続手段とを備え、前記イヤホンに送話器が更に設けられ、前記イヤホンは、該送話器と受話器とからなる一体のイヤホンである無輻射コード付携帯電話機において、前記イヤホンコード収納装置は、更に変速手段を備え、前記駆動手段は該変速手段を介して前記巻線盤を駆動することを特徴とする。
【図面の簡単な説明】
【００１３】
【図１】本発明実施例１のイヤホンコード収納装置の構成図である。
【図２】本発明実施例１のイヤホンコード収納装置の上面図である。
【図３】本発明実施例１のイヤホンコード収納装置の信号接続手段を示す構成図である。
【図４】本発明実施例３のイヤホンコード収納装置の上面図である。
【図５】本発明実施例５のコード自動収納イヤホンの構成図である。
【図６】本発明実施例７の無輻射コード付携帯電話機の構成図である。
【図７】本発明実施例９の電子機器の構成図である。
【発明を実施するための形態】
【００１４】
以下、図面を参照しながら本発明を詳細に説明する。  
実施例１
図１は本発明実施例１のイヤホンコード収納装置の構成図を示す。図に示す通り、該イヤホンコード収納装置は、マイクロモータ１と、巻線盤２と、減速手段３と、信号接続手段４と、ケース５とを含む。本装置がその他の電子機器内部に設けられる場合、ケース５が省略できるため、ケース５は必ず必要なものではない。図面の通り、本実施例において、イヤホンコード収納装置の体積を小さくするために、巻線盤２内において収容空間が設けられ且つマイクロモータ１を該収納空間に設けるようにしたが、該収容空間を設置せず、マイクロモータを巻線盤の外部に設置してもよい。
【００１５】
図２は該イヤホンコード収納装置の上面図である。図２に示す通り、減速手段はギヤ１５１とギヤ１５２を含み、ギヤ１５２が歯を介して巻線盤２に噛み合い、ギヤ１５１がギヤ１５２と噛み合った上マイクロモータ１の駆動軸１０１に印籠接続されている。駆動軸１０１が回転されると、ギヤ１５１，１５２を駆動し回転させ、且つ巻線盤２もそれに従い回動される。ナット１０３が減速手段３とマイクロモータ１を固定するために用いられる。
【００１６】
説明必要があることは、図２に示す減速手段に含まれる２つのギヤ１５１，１５２は、該実施例を説明するためのものであり、当業者は本発明を実施する際に、必要に応じてギヤの個数、大きさ及び前記マイクロモータと巻線盤との位置関係を決定することができ、本発明にはそれに対して限定しない。例えば、３つ又は複数のギヤが設置可能であり、前記ギヤの大きさが一定の比例で設定され、隣接する２つのギヤの間が互いに噛み合っている。
【００１７】
図３に示したのは巻線盤２の他の側であり、即ち信号接続手段４の構成図である。図３に示す通り、本実施例の信号接続手段４は回路基板２２０と複数本の環状導電シート２３０からなり、複数本の環状導電シート２３０はイヤホンコードの一端に接続され、スプリングフィラー２３１及び図面に示していないフィラーリード線を介して外部の信号線（本手段はその他の電子機器内部に設けられた場合、該電子機器内部の信号線になる）に接続する。前記構成によって、巻線盤２が回転することによってイヤホンコードが巻きつく場合又は開放される場合、イヤホンコードの一端が、環状導電シート２３０とスプリングフィラー２３１を介して外部信号とフィードスルーし、信号のフィードスルー性及び有効性を保つ。勿論、本発明の信号接続手段は無線接続の信号接続手段であってもよい。
【００１８】
本発明のイヤホンコード収納装置により、マイクロモータ１が回動される場合、それに接するギヤ１５１，１５２間の駆動によって、巻線盤２の回動を駆動して、それにより、回転速度を低減させると共にトルクを大きくさせる効果が実現される。
【００１９】
従来技術において、マイクロモータが回動する際に巻線盤の回動を直接的に駆動してコード巻き付けを行うようになっているが、マイクロモータの回転速度が数千回乃至数万回/分まで速いため、このように速い回転速度により、巻線盤が瞬間的にイヤホンコードを巻き付け、コード巻き付けの速度が速すぎるため、製品及び使用者を傷害させ易い。一方、本発明において、減速装置におけるギヤ間の相互駆動により、巻線盤の回転速度が合理で安全な範囲に低減され、且つモータのトルクを大きくしたため、従来技術に存在する前記問題がよく解決された。
【００２０】
次に、本発明の他の実施例を説明する。本実施例において、駆動手段はスプリング又は発条であり、スプリング又は発条に接続する変速手段は増速手段であり、その構成が実施例１における減速手段と逆になっており、即ち、スプリング又は発条側のギヤの歯数が巻線盤側のギヤの歯数よりも少ない。その他の部分は実施例１と同一であるため、図１を参照可能である。また、本実施例において、コード収納装置のスイッチにはピンチロールが好ましい。ピンチロールスイッチに関する詳細は中国専利200510004919.9に記載され、ここで記述しない。本実施例において、全部のイヤホンコードがイヤホンコード収納装置内に収納されるように、増速手段によりコード巻き付けのストロークを延長することができる。
【００２１】
実施例３
次に、本発明の更に他の実施例を説明する。図４は本発明実施例３の上面図である。図に示す通り、本発明実施例２におけるイヤホンコード収納装置と前記実施例１との相違点は、次のようになる。巻線盤２と減速手段３との間にクラッチ６が設けられ、巻線盤２はクラッチ６を介して減速手段に接続する。クラッチ６の内側にギヤが設けられ且つギヤ１５２と噛み合い、クラッチ６の外側に１つまたは複数の凸体１６１が設けられ、該凸体１６１が巻線盤２における対応的弧凹型本体１６２と噛み合う。その他の部分は実施例１と同一である。  
更に、本発明において、クラッチ６の外側における凸体は弾性体であり、例えば、スプリングシートであってもよい。
【００２２】
凸体１６１に対する弧凹型本体１６２の作用力が予定の閾値よりも高い場合、前記凸体１６１は弧凹型本体１６２によって巻線盤２を駆動し回動させ、凸体１６１に対する弧凹型本体１６２の作用力が予定の閾値よりも低い場合、凸体１６１は巻線盤２の回動を駆動せず、マイクロモータ１を無負荷運転させることで、マイクロモータ１を有効に保護し、過負荷によるマイクロモータ１の損害（マイクロモータのコイルが過負荷により熱焼損される）を回避する。前記実施例２によってコード巻き付けを行う場合、マイクロモータ軸１０１が減速手段を駆動し、最終的に巻線盤を駆動して回動させ、コード巻き付けが完成した後、ユーザが適時に電源を切ることができないことがよくあるため、マイクロモータが持続的に回動することを招き、この場合、巻線盤が続けて回動することができないため、クラッチがなかったら、マイクロモータの過負荷による熱焼損が生じ易いと共に、イヤホンコードなどの部品の破損が生じる。
【００２３】
一方、本実施例では、クラッチ装置を起動することによって、マイクロモータが無負荷運転状態になり、それにより、マイクロモータとイヤホンコードなどの部品を有効に保護する。また、ユーザがイヤホンコードを巻線盤から引出す時に、クラッチ手段は抵抗力を低減させるように作用し、例えば、イヤホンを使用するためイヤホンコードを引出す場合、クラッチの作用により、巻線盤と減速手段とマイクロモータが自動的に離脱され、このとき、巻線盤が回動してコードが引き出される一方、マイクロモータ及び減速手段が動かないように保持される  。
更に、本実施例におけるクラッチはダンパーオイル式クラッチである。
【００２４】
実施例４
次に、本発明の更に他の実施例を説明する。本実施例において、駆動手段はスプリング又は発条であり、スプリング又は発条に接続する変速手段は増速手段であり、その構成が実施例１における減速手段と逆になり、その他の部分は実施例３と同一であるため、図１と図４を参照可能である。また、本実施例において、コード収納装置のスイッチにはピンチロールが好ましい。なお、本実施例におけるクラッチはダンパーオイル式クラッチであってもよい。本実施例において、コード巻き付けが終了する際に、クラッチの作用により巻線盤が駆動手段から離れ、それにより、イヤホンコードなどの部品の引張りによる損傷が回避できる。更に、イヤホンコードを巻線盤から引出すときに、抵抗力を低減させる作用も果たす。
【００２５】
実施例５
次に、本発明実施例５のコード自動収納イヤホンを説明する。図５は本発明実施例５のコード自動収納イヤホンの構成図である。図５に示す通り、本発明のコード自動収納イヤホンは、送話器８と受話器９とからなる一体のイヤホン７と、イヤホンコード１０と、マイクロモータ１と巻線盤２と減速手段３と信号接続手段４とクラッチ６とケース５とからなるイヤホンコード収納装置とを含む。本実施例において、イヤホン７は送話器８と受話器９とからなるものであるが、送話器８または受話器９のみで構成してもよい。
【００２６】
従来技術において、マイクロモータが回動されると、コード巻き付けを行うように巻線盤を直接的に駆動し回動させる。マイクロモータの回転速度が数千回乃至数万回まで速いため、高回転数により巻線盤が瞬間的にイヤホンコードを巻き付け、コード巻き付けの速度が速すぎるため、製品及び使用者を傷害させ易い。一方、本発明において、減速装置におけるギヤ間の相互駆動により、巻線盤の回転速度が合理で安全な範囲に低減され、且つモータのトルクを大きくしたため、従来技術に存在する前記問題がよく解決された。  
また、本実施例において、イヤホンコード１０は複数本の撓み性導線及び伸張力補強用の繊維糸からなり、且つ外部には高度耐磨耗の絶縁材が塗布されている。本実施例のイヤホンコードを利用すると、イヤホンコードの使用寿命が延びることができる。
【００２７】
実施例６
次に、本発明の更に他の実施例を説明する。本実施例において、駆動手段はスプリング又は発条であり、スプリング又は発条に接続する変速手段は増速手段であり、その構成が実施例５における減速手段と逆になり、その他の部分が実施例５と同一であるため、図５を参照可能である。本実施例において、全部のイヤホンコードがイヤホンコード収納装置内に収納されるように、増速手段によりコード巻き付けのストロークを延長することができる。
【００２８】
実施例７
次に、本発明実施例７の無輻射コード付携帯電話機を説明する。図６は本発明実施例７の無輻射コード付携帯電話機の構成図である。図に示す通り、本発明の無輻射コード付携帯電話機は、電話機本体１０１と、本発明のコード自動収納イヤホンとを含み、そのコード自動収納イヤホンは、マイクロモータ１と、巻線盤２と、減速手段３と、信号接続手段４と、クラッチ６と、イヤホンコード１０と、送話器８と受話器９とからなるイヤホン７とを含み、イヤホンコード１０は信号接続手段４を介して携帯電話機内部の信号ラインに接続する。また、該無輻射コード付携帯電話機のケースにおいて、イヤホン７に対応する形状のソケット１２が設けられ、イヤホン７がソケット１２に挿入され、コード自動収納イヤホンのその他の部分は携帯電話機ケースの内部に設けられている。本実施例においてイヤホンコード収納装置が携帯電話機の下部に設けられているが、携帯電話機のその他の部位に設置してもよい。
【００２９】
従来技術において、マイクロモータが回動されると、コード巻き付けを行うように巻線盤を直接的に駆動し回動させる。マイクロモータの回転速度が数千回乃至数万回まで速いため、高回転数により巻線盤が瞬間的にイヤホンコードを巻き付け、コード巻き付けの速度が速すぎるため、製品及び使用者を傷害させ易い。一方、本発明において、減速装置におけるギヤ間の相互駆動により、巻線盤の回転速度が合理で安全な範囲に低減され、且つモータのトルクを大きくしたため、従来技術に存在する前記問題がよく解決された。  
また、図に示す通り、本実施例において、携帯電話機本体１０１の一側面においてコード溝１３が設けられ、該コード溝１３は一端が巻線盤２に接続し、他端がソケット１２に接続して、イヤホンコード１０が巻線盤２に巻き付きかつコード溝１３において延びてイヤホン７に接続される。
【００３０】
更に、本実施例においてマイクロモータ１と携帯電話機本体１０１が一の電源（図示せず）を共用するため、マイクロモータ１を駆動する電源を別に設ける必要がない。  
更に、本実施例において、マイクロモータ１のスイッチが携帯電話機の通話終了ハングアップボタンと共用されているため、通話終了の場合、通話終了ハングアップボタンを押すと、自動にコード巻き付けを行う。勿論、マイクロモータ１のスイッチを別に設けてもよい。
【００３１】
実施例８
次に、本発明の更に他の実施例を説明する。本実施例において、携帯電話機内部の駆動手段はスプリング又は発条であり、スプリング又は発条に接続する変速手段は増速手段であり、その構成が実施例１における減速手段と逆になり、その他の部分は実施例７と同一であるため、図６を参照可能である。本実施例において、全部のイヤホンコードがイヤホンコード収納装置内に収納されるように、増速手段によりコード巻き付けのストロークを延長することができる。
【００３２】
実施例９
次に、本発明実施例９の電子機器を説明する。図７は本発明実施例９の電子機器の構成図である。本実施例１において、前記電子機器はMP４シリーズ製品、家庭用パソコン、携帯型ゲーム機などイヤホンを使用可能ないずれの電子機器であってもよい。図に示す通り、本実施例の電子機器は電子機器本体２０１と、本発明のコード自動収納イヤホンとを含み、該コード自動収納イヤホンは、マイクロモータ１と、巻線盤２と、減速手段３と、信号接続手段４と、クラッチ６、イヤホンコード１０と、送話器８と受話器９とからなるイヤホン７とを含み、イヤホンコード１０が信号接続手段４を介して電子機器内部の信号ラインに繋がる。また、該電子機器のケースにはイヤホン７に対応する形状のソケット１２が設けられ、イヤホン７がソケット１２に挿入され、コード自動収納イヤホンのその他の部分は携帯電話機ケースの内部に設けられている。本実施例においてイヤホンコード収納装置が携帯電話機の下部に設けられているが、携帯電話機のその他の部位に設置してもよい。
【００３３】
実施例１０
次に、本発明の更に他の実施例を説明する。本実施例において、電子機器内部の駆動手段はスプリング又は発条であり、スプリング又は発条に接続する変速手段は増速手段であり、その構成が実施例９における減速手段と逆になり、その他の部分は実施例９と同一であるため、図７を参照可能である。
【符号の説明】
【００３４】
１  マイクロモータ
２  巻線盤
３  減速手段
４  信号接続手段
５  ケース
６  クラッチ
７  イヤホン
８  送話器
９  受話器
１０  イヤホンコード
１２  ソケット
１３  コード溝
１０１  駆動軸、電話機本体
１０３  ナット
１５１  ギヤ
１５２  ギヤ
１６１  凸体
１６２  弧凹型本体
２０１  電子機器本体
２２０  回路基板
２３０  環状導電シート
２３１  スプリングフィラー
【図１】
2010141864.tif 000003
【図２】
2010141864.tif 000004
【図３】
2010141864.tif 000005
【図４】
2010141864.tif 000006
【図５】
2010141864.tif 000007
【図６】
2010141864.tif 000008
【図７】
2010141864.tif 000009